(57)【要約】【課題】ユーザが自身の就寝時及び起床時に適した照明環境を確認できるようにする。【解決手段】照明システム１００は、屋内に光を照射する照明器具１と、照明器具１を点灯制御する制御部４０と、ユーザ１０による照明器具１の操作情報を入力する端末１１と、を備える。照明器具１は、照度及び照射する光の色温度が可変であり、制御部４０は、操作情報及び照明器具１の点灯情報を記憶するメモリ４３と、操作情報及び点灯情報からユーザ１０の睡眠前から起床後の期間における照明情報を抽出する情報抽出部（アイコン４１）と、端末１１との間で照明情報を伝送する送受信部４４と、を有する。端末１１は、制御部４との間で照明情報を送受信する送受信部１５と、送受信部１５が受信した照明情報を表示する表示部１４と、を有する。【選択図】図２
2015207381.tif 000002
【特許請求の範囲】
【請求項１】
屋内に光を照射する照明器具と、前記照明器具を点灯制御する制御部と、ユーザによる前記照明器具の操作情報を入力する端末と、を備えた照明システムであって、
前記照明器具は、照度及び照射する光の色温度が可変であり、
前記制御部は、前記操作情報及び前記照明器具の点灯情報を記憶する記憶部と、前記記憶部に記憶された前記操作情報及び前記照明器具の点灯情報からユーザの睡眠前から起床後の期間における照明情報を抽出する情報抽出部と、前記端末との間で前記照明情報を伝送する情報送受信部と、を有し、
前記端末は、前記制御部との間で前記照明情報を送受信する端末送受信部と、前記端末送受信部が受信した前記照明情報を表示する表示部と、を有することを特徴とする照明システム。
【請求項２】
前記表示部は、任意の期間毎の前記照明情報の、平均値・中央値・最頻値・累積値のうち少なくともいずれか一つを表示することを特徴とする請求項１に記載の照明システム。
【請求項３】
前記情報抽出部は、前記照明情報として、ユーザの入眠前における前記照明器具の色温度、照度及び照射時間から入眠前あかり量を算出し、
前記表示部は、該入眠前あかり量を表示することを特徴とする請求項１又は請求項２に記載の照明システム。
【請求項４】
前記情報抽出部は、前記照明情報として、ユーザの起床後における前記照明器具の色温度、照度及び照射時間から起床後あかり量を算出し、
前記表示部は、起床後あかり量を表示することを特徴とする請求項１乃至請求項３のいずれか一項に記載の照明システム。
【請求項５】
前記制御部は、ユーザにより予め設定された起床設定時刻よりも所定時間前から前記照明器具の調光比を漸増的に高める起床制御モードで前記照明器具を制御し、
前記表示部は、前記照明情報として、前記起床設定時刻を表示することを特徴とする請求項１乃至請求項４のいずれか一項に記載の照明システム。
【請求項６】
ユーザの就寝中の体動を検知することで就寝又は起床判定及び睡眠の深さを検知するセンサ部を更に備え、
前記情報抽出部は、前記起床設定時刻から前記センサ部により検知されたユーザの起床時刻までの時間からユーザの目覚めに関する快適度を抽出し、
前記表示部は、前記照明情報として、前記快適度を指標化して表示することを特徴とする請求項５に記載の照明システム。
【請求項７】
前記情報抽出部は、前記起床制御モード開始時からユーザが起床するまでの間に前記センサ部が検知した前記就寝中の体動を検知することで就寝又は起床判定及び睡眠の深さの回数から前記快適度を抽出し、
前記表示部は、前記照明情報として、前記快適度を指標化して表示することを特徴とする請求項６に記載の照明システム。
【請求項８】
前記表示部は、前記照明情報として、前記センサ部により検知されたユーザの起床時刻を表示することを特徴とする請求項７に記載の照明システム。
【請求項９】
前記制御部は、ユーザにより入力された消灯操作の時刻から前記照明器具の調光比を漸増的に低めて所定時間後に消灯する睡眠制御モードで前記照明器具を制御し、
前記表示部は、前記照明情報として、前記照明器具の消灯時刻を表示することを特徴とする請求項１乃至請求項８のいずれか一項に記載の照明システム。
【請求項１０】
前記制御部は、ユーザの入眠を検知するセンサ部を有し、
前記情報抽出部は、前記睡眠制御モードの開始時刻から前記センサ部により検知されたユーザの入眠時刻までの時間から、ユーザの入眠に関する快適度を抽出し、
前記表示部は、前記照明情報として、前記快適度を指標化して表示することを特徴とする請求項９に記載の照明システム。
【請求項１１】
前記制御部は、ユーザにより入力された消灯操作の時刻から前記照明器具の調光比を漸増的に低めて所定時間後に消灯する入眠制御モードで前記照明器具を制御し、
前記表示部は、前記照明情報として、前記入眠制御モードの終了時刻からユーザの起床時刻までの期間において前記照明器具が点灯していた時間又は点灯した回数を表示することを特徴とする請求項６乃至請求項８のいずれか一項に記載の照明システム。
【請求項１２】
前記入力部は、起床時のユーザの睡眠感を入力可能とされていることを特徴とする請求項１乃至請求項１２のいずれか一項に記載の照明システム。
【請求項１３】
前記端末送受信部は、インターネットを介して外部端末に接続されていることを特徴とする請求項１乃至請求項１１のいずれか一項に記載の照明システム。
【発明の詳細な説明】
【技術分野】
【０００１】
本発明は、就寝時及び起床時に適した照明環境を実現する照明システムに関する。
【背景技術】
【０００２】
従来から、屋内の天井面に取り付けられて壁面や床面等の屋内全般に光を照射するシーリングライトなどの照明器具が多用されている。このような照明器具の光源には、これまで一般的に円環型蛍光灯が用いられているが、近年では、低電力で高輝度の発光が可能なＬＥＤを光源に用いたものも普及している。ＬＥＤは、照明器具における配置自由度が高く、夫々配光の異なる複数のＬＥＤ光源を用いた照明器具もある。
【０００３】
このような複数のＬＥＤ光源を用いた照明器具として、照明器具の下方を主として屋内全般に光を照射する主光源と、天井面に沿った方向に光を照射する間接光源と、を有するものが知られている（例えば、特許文献１参照）。この照明器具は、例えば、主光源及び間接光源の両方を点灯させて、ユーザに屋内活動に適した明るい照明環境を与え、また、ユーザの就寝時には、間接光源のみを点灯させて、ユーザに直接照射される光を減らし、ユーザに快適で心地良い入眠を促すことができる。
【先行技術文献】
【特許文献】
【０００４】
【特許文献１】特開２０１３−１４５６８５号公報
【発明の概要】
【発明が解決しようとする課題】
【０００５】
しかしながら、上記照明器具においては、ユーザが就寝時刻や起床時刻、照明装置の点灯又は消灯開始時刻等を任意に設定できる一方で、ユーザは、設定された各時刻がユーザ自身の睡眠パターンに適合しているか否かを確認することができない。そのため、ユーザが、就寝時及び起床時において、上記照明器具によって快適で心地良い照明環境を十分に得られていないことがある。
【０００６】
本発明は、上記課題を解決するものであり、ユーザが、自身の就寝時及び起床時に適した照明環境を確認でき、それを実現することができる照明器具を用いた照明システムを提供することを目的とする。
【課題を解決するための手段】
【０００７】
上記課題を解決するため、本発明は、屋内に光を照射する照明器具と、前記照明器具を点灯制御する制御部と、ユーザによる前記照明器具の操作情報を入力する端末と、を備えた照明システムであって、前記照明器具は、照度及び照射する光の色温度が可変であり、前記制御部は、前記操作情報及び前記照明器具の点灯情報を記憶する記憶部と、前記記憶部に記憶された前記操作情報及び前記照明器具の点灯情報からユーザの睡眠前から起床後の期間における照明情報を抽出する情報抽出部と、前記端末との間で前記照明情報を伝送する情報送受信部と、を有し、前記端末は、前記制御部との間で前記照明情報を送受信する端末送受信部と、前記端末送受信部が受信した前記照明情報を表示する表示部と、を有することを特徴とする。
【０００８】
上記照明システムにおいて、前記表示部は、任意の期間毎の前記照明情報の平均値・中央値・最頻値・累積値のうち少なくともいずれか一つを表示することが好ましい。
【０００９】
上記照明システムにおいて、前記情報抽出部は、前記照明情報として、ユーザの入眠前における前記照明器具の色温度、照度及び照射時間から入眠前あかり量を算出し、前記表示部は、該入眠前あかり量を表示することが好ましい。
【００１０】
上記照明システムにおいて、前記情報抽出部は、前記照明情報として、ユーザの起床後における前記照明器具の色温度、照度及び照射時間から起床後あかり量を算出し、前記表示部は、起床後あかり量を表示することが好ましい。
【００１１】
上記照明システムにおいて、前記制御部は、ユーザにより予め設定された起床設定時刻よりも所定時間前から前記照明器具の調光比を漸増的に高める起床制御モードで前記照明器具を制御し、前記表示部は、前記照明情報として、前記起床設定時刻を表示することが好ましい。
【００１２】
上記照明システムにおいて、ユーザの就寝中の体動を検知することで就寝若しくは起床判定及び睡眠の深さを検知するセンサ部を更に備え、前記情報抽出部は、前記起床設定時刻から前記センサ部により検知されたユーザの起床時刻までの時間からユーザの目覚めに関する快適度を抽出し、前記表示部は、前記照明情報として、前記快適度を指標化して表示することが好ましい。
【００１３】
上記照明システムにおいて、前記情報抽出部は、前記起床制御モード開始時からユーザが起床するまでの間に前記センサ部が検知した前記就寝中の体動の回数から前記快適度を抽出し、前記表示部は、前記照明情報として、前記快適度を指標化して表示することが好ましい。
【００１４】
上記照明システムにおいて、前記表示部は、前記照明情報として、前記センサ部により検知されたユーザの起床時刻を表示することが好ましい。
【００１５】
上記照明システムにおいて、前記制御部は、ユーザにより入力された消灯操作の時刻から前記照明器具の調光比を漸増的に低めて所定時間後に消灯する睡眠制御モードで前記照明器具を制御し、前記表示部は、前記照明情報として、前記照明器具の消灯時刻を表示することが好ましい。
【００１６】
上記照明システムにおいて、前記制御部は、ユーザの入眠を検知するセンサ部を有し、前記情報抽出部は、前記睡眠制御モードの開始時刻から前記センサ部により検知されたユーザの入眠時刻までの時間から、ユーザの入眠に関する快適度を抽出し、前記表示部は、前記照明情報として、前記快適度を指標化して表示することが好ましい。
【００１７】
上記照明システムにおいて、前記制御部は、ユーザにより入力された消灯操作の時刻から前記照明器具の調光比を漸増的に低めて所定時間後に消灯する入眠制御モードで前記照明器具を制御し、前記表示部は、前記照明情報として、前記入眠制御モードの終了時刻からユーザの起床時刻までの期間において前記照明器具が点灯していた時間又は点灯した回数を表示することが好ましい。
【００１８】
前記照明システムにおいて、前記入力部は、起床時のユーザ睡眠感を入力可能とされていることが好ましい。
【００１９】
上記照明システムにおいて、前記端末送受信部は、インターネットを介して外部端末に接続されていることが好ましい。
【発明の効果】
【００２０】
本発明によれば、照明器具の操作情報及び点灯情報からユーザの睡眠前から起床後の期間における照明情報を、端末の表示部に表示するので、ユーザが、自身の就寝時及び起床時に適した照明環境を確認でき、それを実現することができる。
【図面の簡単な説明】
【００２１】
【図１】本発明の一実施形態に係る照明システムを適用した屋内を示す図。
【図２】（ａ）は同照明システムに用いられる照明器具の斜視図、（ｂ）は同照明器具のカバーを外した状態における下面図、（ｃ）は（ｂ）のＡ−Ａ’線側断面図。
【図３】上記照明システムのブロック構成図。
【図４】上記照明システムを適用した屋内における照明情報を示す図。
【図５】上記照明システムで用いられる端末の表示例を示す図。
【図６】上記照明システムで用いられる端末の表示例を示す図。
【図７】上記照明システムで用いられる端末の表示例を示す図。
【発明を実施するための形態】
【００２２】
本発明の一実施形態に係る照明システム１００について、図１乃至図７を参照して説明する。図１に示すように、本実施形態の照明システム１００は、天井面Ｃｅ（設置面）に取付けられるシーリングライト型の照明器具１を備える。照明器具１は、図示したようにベッドＢが置かれた寝室に好適に用いられ、壁面Ｗａや床面Ｆｌといった屋内全般に光を照射する。
【００２３】
照明器具１は、ユーザ１０（１０ａ，１０ｂ）が端末１１を操作することで、その点灯を制御することができる。なお、本実施形態の照明器具１は、シーリングライト以外の照明器具として実現されてもよく、上記の各領域に夫々光を照射することができれば、例えば、ベースライト、ダウンライト又はスポットライトとして実現されてもよい。端末１１は、照明器具１の専用のリモートコントローラであってもよいし、スマートフオンやタブレット端末などの情報通信端末が用いられてもよい。また、端末１１は、インターネットＩＴを介して外部サーバ等の外部端末１２に接続されている。
【００２４】
図２（ａ）乃至（ｃ）に示すように、照明器具１は、器具本体２と、器具本体２の中央部を中心とする環状に配された光源３と、光源３の光出射方向に設けられてＬＥＤ３から出射した光の配光を制御する光学部材４と、備える。また、照明器具１は、光学部材４からの光出射方向に設けられて光学部材４から出射する光を拡散させて放射する拡散部材（カバー）５を備える。
【００２５】
光源３は、夫々複数のＬＥＤを環状に配して成るＬＥＤ群３ａ、３ｂが、同心円状に２列に配されて成る。このうち、外周側のＬＥＤ群３ａは、相対的に高色温度の光を照射するＬＥＤチップから構成され、内周側のＬＥＤ群３ｂは、相対的に低色温度の光を照射するＬＥＤチップから構成される。なお、本実施形態では、光源３として、ＬＥＤ群が２列配された構成を示すが、これに限らずＬＥＤ群は１列又は３列以上であってもよく、ＬＥＤ群は、ＬＥＤが内装された蛍光灯型ＬＥＤ照明装置であってもよい。
【００２６】
光源３のＬＥＤは、ＬＥＤチップの出射光の波長を変換する波長変換部材が被覆されて、ＬＥＤパッケージとして構成される。ＬＥＤチップには、例えば、青色光を放射するＧａＮ系青色ＬＥＤチップが用いられ、波長変換部材には、封止用の透光性樹脂材料に昼白色や電球色の光を出射できるようにするための蛍光体が混入されたものが用いられる。なお、光源３が照射する光の色温度は、昼光色〜電球色（色温度７１００Ｋ〜２６００Ｋ）であればよい。なお、相対的に高色温度の光を照射するＬＥＤ群３ａには、例えば、色温度６５００Ｋ程度の昼光色光を出射するＬＥＤチップが好適に用いられる。また、相対的に低色温度の光を照射するＬＥＤ群３ｂには、例えば、色温度２７００Ｋ程度の電球色光を出射するＬＥＤチップが好適に用いられる。これらＬＥＤ群３ａ及びＬＥＤ群３ｂの調光比を制御することにより、光源３は、照射される光の色温度を適宜に可変とすることができる。
【００２７】
器具本体２は、上面（取引付け面）が天井面Ｃｅに対面した状態で天井面Ｃｅに取り付けられる上面視円形の板状部材であり、例えば、厚みの薄いダイカスト部材や、鉄板、アルミ板等で構成され、所定形状に一体成形されたものを含む。また、器具本体２の上面の中央部分には、取付金具（不図示）が設けられ、この取付金具が天井面Ｃｅに設けられた引掛シーリング等に接続される。一方、天井面Ｃｅの反対側の面に光源３が配置される。
【００２８】
器具本体２の中央部には、施工面に設けられた給電コネクタ等に固定される給電部２１が設けられる。また、給電部２１の外周側には、光源３を点灯駆動するための点灯回路２２と、光源３のＬＥＤが実装される基板２３と、が設けられる。器具本体２は、所定の剛性を有するアルミニウム板又は鋼板等の板材を、上記形状にプレス及び切削加工することにより形成され、ＬＥＤ等が配置される面には可視光の反射率が高い白色塗料が塗布又は反射性金属材料が蒸着されていてもよい。
【００２９】
給電部２１は、汎用のアダプタガイドであり、給電コネクタ等を介して商用交流電源に接続される。点灯回路２２は、給電部２１から供給された交流電流を光源３に適合する所定電圧の直流電流に変換及び整流するための、トランス、コンデンサ及び制御用ＩＣ等を備える。
【００３０】
基板２３は、ガラスエポキシ樹脂等の絶縁材料から成り、ＬＥＤ３が実装される面に所定の配線パターンが形成されている。基板２３は、樹脂をベースとするもの、セラミックから成るもの、及びアルミ等の金属をベースとするものに加えて、フレキシブル基板等が用いられてもよい。
【００３１】
点灯回路２２は、ユーザの操作に基づき、中心側のＬＥＤ群３ａ及び外周側のＬＥＤ群３ｂを夫々独立して点灯させることができるように構成されている。なお、各ＬＥＤ群３ａ、３ｂ内の各ＬＥＤが個別に又は複数にグルーピングされて更に細かい部分点灯又は間引き点灯等が可能なように構成されていてもよい。
【００３２】
また、基板２３には、各光源３を点灯制御するための制御部４０が設けられる。制御部４０は、端末１１から受信した無線信号に基づいて各光源３の点灯又は消灯を行う。ここで言う、無線通信は、赤外線、電波、可視光を含む。また、制御部４０、例えば、ＰＷＭ（Ｐｕｌｓｅ  Ｗｉｄｔｈ  Ｍｏｄｕｌａｔｉｏｎ）制御や、アナログ調光制御により、各光源３の調光制御を行う。制御部４０は、マイコン４１によって実現される。なお、調光比とは、各光源３の最大輝度に対する輝度の割合を意味し、例えば、制御部４０がＰＷＭ制御により光源３の調光制御を行う場合の調光比は、ＰＷＭ信号のデューテイ比により定められる。
【００３３】
また、器具本体２の外周には、照明器具１が設けられた屋内に居る人の動作を検知するセンサ部６が設けられている。センサ部６は、照明器具１とは別体の構成であってもよい。このセンサ部６は、例えば、モーションセンサにより構成され、就寝者（ユーザ１０（図１も参照））の寝返り等の就寝中の体動を検知し、ユーザ１０の眠りの深さを検知する。また、ユーザ１０の動きから、ユーザ１０の入眠時刻を検知することもできる。
【００３４】
光学部材４は、環状に配された複数のＬＥＤ３を一括して覆う樋状のレンズ部材であり、アクリル樹脂等の透光性樹脂により形成される。本実施形態において、光学部材４は、光源３の器具中央側のＬＥＤ群３ａ及び器具外周側のＬＥＤ群３ｂを一括して覆う半円樋状レンズ部材から成る。
【００３５】
カバー５は、器具本体２の前面を覆うドーム形状とされ、例えば、アクリル樹脂等の透光性材料に光拡散性粒子又は顔料等を添加した樹脂材料から形成される。カバー５は、上記の光拡散性粒子又は顔料等の添加に換えて、透明なガラス板又は樹脂板の表面又は裏面に、サンドブラスト処理を施して粗面としたもの、又はシボ加工を施したもの、ディンプル加工等により微細な凹凸形状を形成したもの等であってもよい。
【００３６】
図３に示すように、制御部４０は、時刻を計時するタイマ４２、及びタイマ４２で計時された時間に対する光源３の調光比等のデータや過去の照明情報等を記憶するメモリ４３を有する。また、照明器具１には、端末１１との間で制御信号等を送受信するための送受信部４４と、信号受信時に発信音を出力するブザー４５と、が設けられている。ブザー４５は、上記発信音に加えて、就寝者の目覚めを覚醒する覚醒刺激音を出力する。
【００３７】
端末１１は、就寝及び起床時における照明器具１の調光モードを設定するための入力部１３と、入力内容を表示する表示部１４と、照明器具１と通信するための送受信部１５（端末送受信部）と、を備える。入力部１３は、入力インターフェースであり、例えば、押しボタン式のスイッチや、タッチパネル等がから構成される。送受信部１５は、例えば、赤外線通信や、ＷＰＡＮ（Ｗｉｒｅｌｅｓｓ  Ｐｅｒｓｏｎａ１  Ａｒｅａ  Ｎｅｔｗｏｒｋ）の標準規格の一つであるＺｉｇＢｅｅ（登録商標）やその他の通信方式を用いて通信を行う。また、端末１１は、上記各構成を制御するマイコン１６ａ、タイマ１６ｂ及びメモリ１６ｃを内蔵した制御部１６を有する。
【００３８】
照明器具１は、ユーザ１０が端末１１を操作することにより、ユーザ１０が就寝する際に光源３の調光比を漸増的に高める起床制御モードと、ユーザ１０が起床する際に各光源３の調光比を漸増的に低めて所定時間後に消灯する入眠制御モードと、を実行する。
【００３９】
また、照明器具１は、メモリ４３に記憶された端末１１による操作情報及び照明器具１の点灯情報からユーザ１０の睡眠前から起床後の期間における照明情報を抽出する情報抽出部を有する。また、送受信部４４は、端末１１との間で上記照明情報を伝送する情報送受信部として機能する。なお、下記に説明する照明システム１００の動作は、照明器具１の制御部４０ではなく、端末１１の制御部１６によって実行されてもよい。
【００４０】
ユーザ１０が日常の生活の中で、照明器具１を点灯又は消灯させる等の行動をすることにより、ユーザ１０に対する様々な照明情報が得られる。例えば、図４に示すように、ユーザ１０が、夜間に寝室に入室した際には、端末１１を用いて照明器具１を点灯させると、その点灯操作と操作時間（例えば、２３：００）が照明情報として得られる。また、ユーザ１０が就寝前に音楽を聞いたり、読書をする際に、照明器具１を所定の色温度（３０００Ｋ）及び調光比（５０％）で点灯させたときは、その時の照明環境の色温度及び調光比が照明情報として得られる。また、ユーザ１０が上記入眠制御モードを入力すると、その操作時刻（２３：３０）や、入眠制御モードでの調光比（１０％）、及び予め設定された消灯時刻（０：００）が照明情報として得られる。また、ユーザ１０が夜間にトイレに行く等により一時的に意識が覚醒して、照明器具１を点灯させると、その時刻（２：００）や色温度（３０００Ｋ）、調光比（５％）が照明情報として得られる。
【００４１】
また、ユーザ１０が予め上記起床制御モードを設定している場合、起床制御モード起動時の時刻（６：００）、色温度（３０００Ｋ〜６５００Ｋ）、調光比（５％）が照明情報として得られる。また、実際に、ユーザ１０が起床した時や、寝室からの退出時にも上記と同様の照明情報が得られる。
【００４２】
本実施形態においては、上述した照明情報を、図５に示すような端末１１の表示部１４に表示することにより、ユーザ１０は自身の就寝時刻や起床時刻、照明装置の点灯又は消灯開始時刻等を確認することができ、それを参考にして、上記設定を行うことにより、自身の就寝時及び起床時に適した照明環境を実現することができる。また、表示部１４は、例えば、週単位、月単位、３ケ月単位といった任意の期間毎の照明情報の平均値・中央値・最頻値・累積値のうち少なくともいずれか一つを表示することができる。本実施形態では、平均値を例示している。これにより、ユーザ１０は、自身の生活習慣と、その傾向を把握することができ、その改善等に役立てることができる。
【００４３】
また、情報抽出部（マイコン４１）は、照明情報として、ユーザ１０の入眠前における照明器具１の色温度、照度及び照射時間から入眠前あかり量を算出し、図６に示すように、表示部１４がこれを表示する。入眠前あかり量は、上記期間の色温度、照度及び照射時間の積算により算出される。このように、ユーザ１０が入眠前に不適切な明りをどの程度浴びているかを定量化することで、ユーザ１０がその量を減らし、寝付くまでにかかる時間の短縮に役立てることができる。
【００４４】
また、情報抽出部は、照明情報として、ユーザ１０の起床後における照明器具１の色温度、照度及び照射時間から算出される起床後あかり量を算出し、図６に示したように、表示部１４がこれを表示する。起床後あかり量もまた、上記期間の色温度、照度及び照射時間の積算により算出される。ユーザ１０が起床後に自身の意識を覚醒させる明りを、どの程度浴びているか定量化することで、ユーザ１０がその量を増やし、寝室を退出した後の覚醒感アップに役立てることができる。
【００４５】
また、表示部１４は、上記起床制御モードにおける起床設定時刻を表示する。起床設定時刻は、特定の日にちに加えて、任意の期間毎の平均値で示され、例えば、ユーザが平日と休日の起床時刻のばらつきを知ることで、睡眠リズムを整えるのに役立てることができる。
【００４６】
また、センサ部６は、ユーザ１０の就寝中の体動を検知することで就寝若しくは起床判定及び睡眠の深さを検知する。そして、情報抽出部は、起床設定時刻からセンサ部６により検知されたユーザ１０の起床時刻までの時間差から、ユーザ１０の目覚めに関する快適度を抽出し、表示部１４は、図７に示すように、その快適度を指標化して表示する。これに併せて、情報抽出部は、起床制御モード開始時からユーザ１０が起床するまでの間に、センサ部６が検知した就寝中の体動の回数から快適度を抽出し、表示部１４は、その快適度を指標化して表示する。図例のように、表示部１４は、各回適度を座標化して表示し、そのポジションに応じて快眠スコアを段階的に（例えば、Ａ〜Ｅ評価）に表示する。これにより、起床時刻と実際に目覚めた時刻との差や、眠りの浅さ等から、ユーザ１０は、スムーズな目覚めを指標化することができ、起床制御モードの調整により、よりすっきりした目覚めを得られるようになる。なお、このとき、表示部１４は、起床設定時刻や実際の起床時間を表示する。これにより、ユーザが睡眠リズムを整えるのに役立てることができる。
【００４７】
また、入眠制御モードでは、表示部１４は、照明情報として、照明器具１の消灯時刻を所定の期間で平均化して表示する（不図示）。また、センサ部６が、ユーザの入眠を検知する場合、情報抽出部は、入眠制御モードの開始時刻からセンサ部６により検知されたユーザ１０の入眠時刻までの時間から、ユーザの入眠に関する快適度を抽出し、表示部１４がこれを表示する（不図示）。なお、図６に示したように、表示部１４は、実際の入眠時刻の平均値を表示することもできる。これにより、ユーザ１０が、寝付くまでにかかった時間の平均を概ね知ることができ、例えば、お休み前の過ごし方の見直しや、実質睡眠時間の確保に役立てることができる。なお、表示部１４は、入眠制御モードの終了時刻からユーザ１０の起床時刻までの期間において、照明器具１が点灯していた時間又は点灯した回数を表示する（図６参照）。
【００４８】
また、端末１１の入力部１３は、起床時のユーザ１０の目覚めの気分といった睡眠感を入力可能とされている。例えば、上記図７に示したように、目覚め快適度（例えば、図中の星５段階評価）を入力することができる。そして、ユーザ１０が、快適度と照明情報との相関を対比することで、ユーザ１０の睡眠・起床に関する実感と照明環境との関係を明確に知ることができる。
【００４９】
端末１１の送受信部１５は、インターネットＩＴを介して外部端末１２に接続されている。そのため、照明システム１００を、各種ネットワークやクラウドシステムに接続することができ、例えば、他のユーザ同士で情報を比較、参照することもできる。また、例えば、上述した入眠制御モードにおける色温度の設定といった照明情報に関する目標値の設定やアドバイスを行うサービスを導入することもできる。
【００５０】
なお、本発明は、上述した実施形態に限らず、種々の変形が可能である。上記実施形態では、センサ部６によりユーザ１０の体動を検知して、ユーザ１０の睡眠及び起床を判定する構成例を示したが、センサ部６は必ずしもモーションセンサに限られず、例えば、音センサでユーザ１０の動作を検知することもできる。また、枕灯を点灯又は消灯させたり、目覚まし時計のアラームを停止又はスヌーズ機能といった睡眠から起床にかけてユーザ１０が電機機器を操作する動作を検知することにより、センサ部６が無い場合であっても、ユーザ１０の睡眠状態等の情報を取得することができる。また、上記実施形態では、各光源にＬＥＤを用いた構成を示したが、ＬＥＤに代えて、有機ＥＬ素子（ＯＬＥＤ）または無機ＥＬ素子等のＬＥＤ以外の固体発光素子により構成されたモジュールが用いられてもよい。また、本実施形態では、寝室に取り付けられた照明器具１を用いた照明システム１００を示した。しかしながら、照明器具の操作情報及び点灯情報から、ユーザの行動パターンを把握し、ユーザの行動パターンに応じて適切な照明情報を開示するものであれば、照明器具は、例えばリビング照明や、廊下照明等であってもよい。
【符号の説明】
【００５１】
１    照明器具
１１    端末
１４    表示部
１５    送受信部（端末送受信部）
１６    制御部
１６ａ    マイコン（情報抽出部）
２    器具本体
３    光源
４０    制御部
４１    マイコン（情報抽出部）
４３    メモリ（記憶部）
４４    送受信部（情報送受信部）
６    センサ部
【図１】
2015207381.tif 000003
【図２】
2015207381.tif 000004
【図３】
2015207381.tif 000005
【図４】
2015207381.tif 000006
【図５】
2015207381.tif 000007
【図７】
2015207381.tif 000008
【図６】
2015207381.tif 000009